(57)【特許請求の範囲】
【請求項１】
ａ）  光ファイバ用のプラグコネクタであり、ｂ）  夫々がプラグハウジング（１３）内に少なくとも一のコネクタピン（２）を保持した二つのプラグ部材（１）、ｃ）  該二つのプラグ部材（１）を両側部から挿入可能な中間部の整列スリーブとして形成してなるスリーブ部材（３）、ｄ）  該スリーブ部材（３）が前記コネクタピン（２）を受設するための少なくとも一のスリーブ（４）とスリーブハウジング（１６）とを具備し、ｅ）  前記プラグ部材（１）の端部分（９）から突出した前記各コネクタピン（２）の前端面部（５）、ｆ）  前記各コネクタピン（２）の前記前端面部（５）の保護部材として、前記プラグハウジング（１３）の外側に蝶番的に設けられ前記プラグ部材（１）の前記端部分（９）の前記前端面部（５）を閉蓋可能になされている前記各プラグ部材（１）のふた部材（６）、ｇ）  前記各ふた部材（６）に設けられているガイド突部（８）、ｈ）  前記スリーブハウジング（１６）の内側側部に設けられ前記各ガイド突部（８）に対応して該ガイド突部と協働する制御通路、ｉ）  前記プラグ部材（１）を前記スリーブ部材（３）に直線的に挿入することにより前記ガイド突部（８）と制御通路との協働によって前記ふた部材（６）が開放状態に運動し前記コネクタピン（２）の前記前端面部（５）が開放され、ｊ）  前記プラグ部材（１）を前記スリーブ部材（３）から引抜くことにより前記ふた部材（６）が閉止状態に運動して前記コネクタピンの前記前端面部（５）が閉鎖され、ｋ）  前記コネクタピン（２）の前記前端面部（５）が前記スリーブ（４）内に整合してプラグ部材（１）が挿入され、ｌ）  前記コネクタピン（２）の前記スリーブ（４）への挿入中に前記ふた部材（６）が前記スリーブ（４）に到達する前に前記ふた部材（６）を開放させるようにしたこと、を特徴とする光ファイバ用プラグコネクタ。
【請求項２】
前記ふた部材（６）は前記プラグ部材（１）に枢動可能に取付けられ、前記制御通路は前記ふた部材（６）を枢動せしめるためのガイド突部（８）と協働する少なくとも一のガイド部材（７）からなることを特徴とする請求項１に記載の光ファイバ用プラグコネクタ。
【請求項３】
前記ふた部材（６）は開放位置にある時閉止位置に対して約９０°枢動していることを特徴とする請求項１または２に記載の光ファイバ用プラグコネクタ。
【請求項４】
前記ふた部材（６）はばね付勢力で閉止位置に付勢されることを特徴とする請求項１から３のいずれか一に記載の光ファイバ用プラグコネクタ。
【請求項５】
前記コネクタピン（２）の前記前端面部（５）に対向している前記ふた部材（６）の内壁（１７）は、前記コネクタピン（２）内の光ファイバの光軸に対して光が前記光ファイバに逆行しないように少なくとも該コネクタピンの領域内で傾斜せしめてなることを特徴とする請求項１から４のいずれか一に記載の光ファイバ用プラグコネクタ。
【請求項６】
前記プラグ部材（１）は横断面がほぼ矩形のプラグハウジング（１３）を備えてなることを特徴とする請求項１から５のいずれか一に記載の光ファイバ用プラグコネクタ。
【請求項７】
前記スリーブ部材（３）は固設用の取付け用フランジ（１４）を備えてなることを特徴とする請求項１から６のいずれか一に記載の光ファイバ用プラグコネクタ。
【請求項８】
前記プラグ部材（１）はロック用の肩部（１１）及びロック用の止め金（１２）によって前記スリーブ部材（３）に固定し得るようにしてなることを特徴とする請求項１から７のいずれか一に記載の光ファイバ用プラグコネクタ。
【発明の詳細な説明】
【０００１】
【産業上の利用分野】
本発明は、少なくとも１つのコネクタピンを有するプラグ部材と、上記コネクタピンを収容するための少なくとも１つのスリーブを有するスリーブ部材と、上記プラグ部材に設けられるコネクタピンの対向面を保護するための保護装置とを備え、該保護装置が、上記コネクタピンの対向面を覆う閉位置から、該対向面を露出させる開位置へ運動することのできるようになされた光ファイバ用のプラグコネクタに関する。
【０００２】
【従来の技術】
電気用のプラグコネクタとは異なり、光学用のプラグコネクタの場合には、僅かの汚れも伝達の損失に繋がる。その理由は、極めて小さな断面積を有するグラスファイバの面同士を互いに整合させる必要があるからである。
【０００３】
しかしながら、現在まで、そのようなタイプの保護装置は、現場に配備されるかなり頑丈なプラグコネクタにしか設けられていなかった。例えば、ＥＰ−Ａ−２２  ０００は、光ファイバにも使用することのできるコネクタ用の保護装置を開示している。この保護装置の基本的な原理は、コネクタピンを２つの重なり合ったディスクすなわち板状体によって覆うというものである。ディスクは、共通の軸線の周囲を互いに回転することができ、また、ディスクには、互いに重なり合い少なくとも１つの相対的な位置に向けて収束することによりコネクタピンを露出させる開口が設けられている。コネクタピンは、これらコネクタピンの軸線に平行に移動し、上記開口を貫通してコネクタスリーブの中に挿入される。この保護装置の欠点は、かなり大きな外径を有し過酷な条件下に使用されるコネクタのプラグ部分を保護するに過ぎないことである。プラグ部分を挿入するためには、回転方向の運動だけではなく、直線方向にも移動させる必要がある。例えば、測定、ニュース及び娯楽の技術分野でその使用が増大している小さなプラグ部分に対しては、従前の装置は適していない。
【０００４】
【発明が解決しようとする課題】
従って、本発明の目的は、塵、指紋及び水のしぶき等の汚染物から光ファイバの接続端を確実に保護し、また、小さなコネクタにも使用できる極めて簡単な構造を有し取り扱いが容易であるプラグコネクタを提供することである。
【０００５】
【課題を解決するための手段】
上述の目的は、ａ）  光ファイバ用のプラグコネクタであり、ｂ）  夫々がプラグハウジング（１３）内に少なくとも一のコネクタピン（２）を保持した二つのプラグ部材（１）、ｃ）  二つのプラグ部材（１）を両側部から挿入可能な中間部の整列スリーブとして形成してなるスリーブ部材（３）、ｄ）  スリーブ部材（３）が前記コネクタピン（２）を受設するための少なくとも一のスリーブ（４）とスリーブハウジング（１６）とを具備し、ｅ）  前記プラグ部材（１）の端部分（９）から突出した前記各コネクタピン（２）の前端面部（５）、ｆ）  前記各コネクタピン（２）の前記前端面部（５）の保護部材として、前記プラグハウジング（１３）の外側に蝶番的に設けられ前記プラグ部材（１）の前記端部分（９）の前記前端面部（５）を閉蓋可能になされている前記各プラグ部材（１）のふた部材（６）、ｇ）  前記各ふた部材（６）に設けられているガイド突部（８）、ｈ）  前記スリーブハウジング（１６）の内側側部に設けられ前記各ガイド突部（８）に対応して該ガイド突部と協働する制御通路、ｉ）  前記プラグ部材（１）を前記スリーブ部材（３）に直線的に挿入することによりガイド突部（８）と制御通路との協働によって前記ふた部材（６）が開放状態に運動し前記コネクタピン（２）の前記前端面部（５）が開放され、ｊ）  前記プラグ部材（１）を前記スリーブ部材（３）から引抜くことにより前記ふた部材（６）が閉止状態に運動して前記コネクタピンの前記前端面部（５）が閉鎖され、ｋ）  前記コネクタピン（２）の前記前端面部（５）が前記スリーブ（４）内に整合してプラグ部材（１）が挿入され、ｌ）  前記コネクタピン（２）の前記スリーブ（４）への挿入中に前記ふた部材（６）が前記スリーブ（４）に到達する前に前記ふた部材（６）を開放させるようにした光ファイバ用プラグコネクタによって達成される。
【０００６】
プラグ部材で枢動するふた部材又はカバーは、単純に直線的なプラグの直動により枢動することのできる簡単な要素である。コネクタピンを露出させるための複雑でカバー等の関連要素が損傷し易い一連の運動は必要とされず、コネクタピンは、挿入運動の間に直接的に露出される。また、この構成により、極めて精密に機械加工され且つ比較的繊細なコネクタピンは、保護スリーブ部材の中に位置した時だけ露出することが確実とされる。従って、例えば、コネクタピンから出るレーザビームによって不用意に目に損傷を受けることが防止される。
【０００７】
ふた部材は、プラグ部材上で枢動できるように取り付けられ、また、ガイド突部を備え、このガイド突部と協働してふた部材を枢動させる少なくとも１つのガイド部材が制御通路を構成する。これにより、ふた部材は、いずれにしても挿入する時の力よりも小さな極めて小さな力で動かし開閉することができる。
【０００８】
しかしながら、代替実施例においては、ふた部材すなわちカバーは、枢動可能且つ摺動可能なようにプラグ部材に取り付け、またふた部材は、ガイド突部を備えふた部材を枢動及び摺動させるために上記ガイド突部と協働する少なくとも１つのガイド溝が制御通路を構成するようにすることができる。ふた部材の複合された枢動及び摺動の運動は、ふた部材すなわちカバーをスリーブ部材の中に占有スペースを節約した状態で収容することができるという利点を有する。円形の通路の代わりに、ふた部材の外縁部を湾曲した通路とし、スペースを大幅に節約することができる。
【０００９】
ふた部材の上記複合された運動は、ガイド突部に、プラグ部材のガイドスロットに係合しその中で回転並びに摺動する少なくとも１つのリンク要素を設け、また、ガイド突部に、上記ふた部材が閉じている時に、スリーブ部材のガイド溝に係合する少なくとも１つの係合部材を設けることにより、特に簡単に実現することができる。リンク要素及び係合部材は、運動が迅速である場合でも、正確な案内を確実に行う。ガイド突部及びガイド溝は相互に効果を発揮し、ふた部材をコネクタピンの面の平面の後方の開放位置に後退させる。これにより、開いたふた部材が同一の平面において互いに向かい合う状態で、プラグをスリーブ部材の両側から挿入することができる。ふた部材を重ね合わせるためにプラグを１８０°回転させる必要はない。
【００１０】
開放位置においては、ふた部材は、閉止位置に対して相対的に約９０°枢動されるのが好ましい。この位置においては、スリーブ部材には殆どスペースを必要としない。これは、特に平坦なふた部材に適する。他の相対的な角度を開放位置に用いることもできる。
【００１１】
バネ張力によりふた部材に閉止位置への予荷重を与え、プラグ部材が引き抜かれている時には常にふた部材が確実に閉じているようにすることが好ましい。全体的に変化するようにバネの予荷重を与えることができる。コイルバネを枢動軸に設けることもできる。
【００１２】
バネ作用によりプラグ部材の端面部及び／又は長手方向の側部を押圧するバネカムによって、ふた部材に閉位置への予荷重を与えることができる。このタイプのバネカムは、ふた部材と一体に形成することができ、従ってバネによる予荷重を与えるために追加の部品を何等必要としないという利点を有する。
【００１３】
ふた部材は基本的にはディスクとして形成することができるが、弓状に湾曲させることもできる。後者の場合には、ふた部材がプラグ部材の湾曲した軌道上で摺動できるように取り付けることが可能である。
【００１４】
ふた部材は、コネクタピンの面に直接圧接するか、あるいは、コネクタピンを包囲する端部分に圧接することができる。プラグの対向面に向けて配列されたふた部材の内側の少なくともコネクタピンの領域を、コネクタピンの中の光ファイバの光軸に関して傾斜させ、光の反射が光ファイバの中へ戻らないようにすると特に効果的である。
【００１５】
一般的には、スペースの観点から制御通路をスリーブ部材の中に設けるのが好ましい。ある場合には、上記原理の運動力学的に反対の構成を問題なく採用することができ、従って、例えばガイド溝又はガイド部材である制御通路をふた部材に設け、例えば、ガイドカム等の形態のガイド要素をスリーブ部材に設けることができる。
【００１６】
本発明の他の利点並びにそれぞれの特徴は、以下の実施例の説明及び図面から明らかとなろう。
【００１７】
【実施例】
プラグ部材１が図１に示されており、このプラグ部材１のプラグハウジング１３は基本的に、概ね矩形の断面を有している。コネクタピン２が、端部分９を有するピンホルダ１０の中に保持されており、上記端部分９は孔を有し、該孔の内壁はコネクタピン２を包囲している。実際のプラグハウジング１３は、短い距離にわたって軸方向に摺動可能なようにピンホルダ１０に取り付けられている。プラグハウジング１３の一部を形成する傾斜部２０と同じ概ね高さにあるロック用の肩部１１が、ピンホルダの上方及び下方の２つの対向する側部に設けられている。
【００１８】
ピンホルダ１０の端部分９と同じ断面積を有するふた部材またはカバー６が、この端部分９の対向する側部上で枢動可能に取り付けられている。ふた部材６の一側部にはガイド突部８が設けられている。ガイド突部８は、概ね平らな鼻形の形状を有している。
【００１９】
図２は、プラグ部材１を収容するためのスリーブ部材３を示している。このスリーブ部材３は基本的には、中空の箱型のスリーブハウジング１６を備えており、該スリーブハウジングには、ハウジングの壁部に固定するためのフランジ１４が設けられている。スリーブハウジング１６の内側には、コネクタピンを収容するための実際のスリーブ４がスリーブホルダ２１の中に保持されている。スリーブ４は、スリーブホルダの中で浮いた状態で保持されるのが好ましい。その端部に、ロック用の肩部１１と共に保持係合装置を構成するロック止め金１２が設けられているバネ舌状部１５が、スリーブハウジング１６に設けられている。この実施例においては平行なガイド部材７の形態を取る制御通路がスリーブハウジング１６の内側に設けられている。
【００２０】
スリーブホルダ２１は、スリーブハウジング１６の壁部２２の助けにより、スリーブハウジング１６の中に確実に保持されている。この保持壁部２２は、その上方及び下方に開口２３，２３’を残し、これら開口がその全幅にわたって伸長するような寸法を有している。上記開口は、下に説明するように、挿入されたプラグ部材１の揺動して開いたふた部材６を収容する役割を果たす。
【００２１】
挿入されたプラグ部材１を有するプラグコネクタが図３に示されている。プラグ部材１を導入する際に、ふた部材６のガイド突部８がガイド部材７に当たり、ふた部材６は矢印ａで示す方向に枢動する。図面を明瞭にするために、実際のスリーブ４は図３に示していない。しかしながら、コネクタピン２は、挿入の過程においてスリーブ４の中に挿入され、その対向する端面部５が、上記スリーブ４の中の隣接するコネクタピンの対向する端面部に係合する。
【００２２】
所望の挿入深さに達すると、ロック止め金１２はロック用の肩部１１の後部に係合し、これにより、プラグ部材１はスリーブ部材３の中で固定される。図示の実施例においては、いわゆるプッシュプル式の蓋が設けられている。この係合装置は、プラグ部材１を引き抜く引っ張り力がプラグハウジング１３に作用した場合にのみ解放することができる。この構成により、プラグハウジング１３はピンホルダ１０に対して相対的に若干後方へ摺動し、傾斜部２０がロック止め金１２を持ち上げることにより、ロック用の肩部１１が解放される（図１）。反対に、ピンホルダ１０に、引っ張り力が作用した場合には、ロック止め金は外れることができない。このタイプの光コネクタ用の蓋は周知である。勿論、プラグ部材１のスリーブ部材３に対する固定は他の方法でも行うことができ、例えば、リング・ナットを用いて行うことができる。
【００２３】
プラグ部材１をスリーブ部材３から引き抜く時には、ガイド突部８をガイド部材７上で再度摺動させ、ふた部材６をその閉じた位置へ再度戻す必要がある。ふた部材６は、プラスチック材料で形成するのが好ましく、単に端部分９に係合することができるような形状にするのが好ましい。ふた部材６は、必ずしもガイド部材７によって後方へ枢動されるようにする必要はない。適当なバネ要素の助けにより、戻しバネにより閉じる運動を行うことができる。
【００２４】
図４は、図２のスリーブ部材３を概略的に示し、該スリーブ部材にはその両側からプラグ部材１，１’が挿入される。図４から分かるように、このスリーブ部材は、その下側の一対のガイド部材７ばかりではなく、その上側にも一対のガイド部材７’を備えており、これらガイド部材は、両方のコネクタピンの間の接触面に関して対称的に移動するようになされている。プラグ部分１’は挿入されてプラグ部材１に対して１８０°回転され、プラグハウジングの外側の形状並びにスリーブハウジングの内側の形状は、上記位置においてのみ両方のプラグ部材を挿入することができるような形状になされている。プラグ部材１及び１’のふた部材６及び６’は共に、それぞれ挿入された状態で重なり合い、図２に従って開口２３、２３’を通って摺動する。しかしながら、必ずしも２つの同一のプラグ部材１をスリーブ部材３の中へ挿入する必要がないことは勿論である。プラグ部材１がハウジングの中にあり実際上は決して取り外す必要がない場合には、ふた部材又はカバーを持たないこのプラグ部材を一方の側へ挿入することができる。
【００２５】
図５は、スリーブ部材３の中にあるスリーブ４の一部及びガイド部材７、並びにガイド突部８を有するふた部材６を概略的に示している。ふた部材６はキャップとして形成され、このふた部材６の内壁１７は、プラグに対向する側部に関して角度αだけ傾斜しており、これにより、反射により光ファイバの中へ光が戻るのを防止している。上記角度αは、例えば約７°とすることができる。スリーブ４、ガイド部材７及びふた部材６の間の幾何学的な形状を選択し、ふた部材６がスリーブ４に到達する前の適宜な時に跳ね上がるようにしなければならないことは勿論である。次にふた部材６は、スリーブ４の下で部分的に摺動する。
【００２６】
本発明の代替実施例が図６に概略的に示されており、この実施例においては、制御通路はガイド部材を備えず、歯付きのラック部分１８を備えている。ふた部材６は弓形に湾曲しており、例えば側部の溝等にある端部分９の円形の弓形の軌道の上で摺動するように取り付けられている。ガイド突部の代わりに、ふた部材６は歯付きの部分１９を備え、該歯付きの部分は、プラグ部材１をスリーブ部材３の中へ挿入する際に、歯付きのラック１８とかみ合う。これにより、ふた部材６は摺動して開き、コネクタピン２はスリーブ４に達する前に露呈される。
【００２７】
勿論、本発明のふた部材またはカバーの閉止は、矩形の断面を有するプラグ部材によってのみ行うことができるものではない。また、円形の断面を有するプラグ部材に、同一又は同様な方法で運動可能なふた部材を設け、該ふた部材を同様に概ね円形に形成することができる。スリーブ部材も必ずしも別個の要素とする必要はない。スリーブ部材をプラグ部材の直接的な要素すなわち一体の部分とすることもできる。
【００２８】
図７乃至図１２には、本発明の別の実施例が示されており、この場合には、ふた部材は枢動及び摺動の複合された運動を示す。この実施例においては、スリーブ部材に対するプラグ部材の固定及び開放も異なった方法で解決することができる。上述の実施例と同様の要素には上述の実施例の符号と同様な符号を付してある。
【００２９】
最初に図７及び図８を参照すると、プラグ部材１が示されており、このプラグ部材は基本的には概ね矩形のプラグハウジング１３を備えている。しかしながら、後に説明するように、ピンホルダ１０はコネクタピン２と共に軸方向に移動することができず、プラグハウジング１３の中に固定的に保持されている。しかしながら、プラグハウジング１３はロック用の肩部１１を担持しており、該肩部に対してスリーブ部材３を掛止することができる。解放レバー２５が解放する役割を果たし、その機能は下記により詳細に説明する。
【００３０】
ふた部材６は、このふた部材６に対して直角に伸びる２つの翼部の形状のガイド部片またはガイド突部８を備えている。ここには図示しないが、上記翼部の内側にはリンク要素としてのリンクカム２８（図１２）が設けられており、これらカムは、角柱状のガイド部片２６の側壁のガイドスロット２７に各々係合する。ガイドスロット２７は上方へ伸長してロック用の肩部１１の領域で開口し、これにより、リンクカム２８を導入することができる。係合部材としてのガイドカム２９が、リンクカム２８からある距離をおいて翼部４２の外側に設けられている。上記ガイドカム２９は、ガイド溝３０（図９，図１２）の助けにより、ふた部材６をスリーブ部材３の中へ移動させる役割を果たす。
【００３１】
ふた部材６を図７に示す閉じた位置に保持するために、翼部４２の間にバネカム２４が設けられており、該バネカム２４は、ガイド部片２６の対向する先端部に圧接する。
このバネカム２４は、図９及び図１０にそれぞれ示されたふた部材６の側面図に明らかな如く、ふた部材６の上部にあって、このふた部材６の閉止のための枢動時に、ガイド部片２６の端面をふた部材６自体の弾性で押圧することになる。かくして、バネカム２４のガイド部片２６端面に対する圧接でファイバ端が封鎖される。
【００３２】
図８は、ふた部材６が開いた状態のプラグ部材１を示している。この状態は、ふた部材６がスリーブ部材３の中にある時にのみ生ずることは勿論である。しかしながら、ふた部材６を手で上方へ枢動させて後方へ摺動させることができることは勿論である。この構成により、ふた部材６は、リンクカム２８の軸線の周囲で枢動運動を行い、同時に、リンクカム２８がガイドスロット２７の中で矢印ｂの方向へ摺動し、ロック用の肩部１１に向かって後退する。これにより、ふた部材６は、コネクタピン２の対向する側部５の平面の後方まで後退する。
【００３３】
図９は、個々の要素を有するプラグコネクタの個々の部分を示し、図１０は、上記プラグコネクタの断面を示している。スリーブ部材３は２つの部分から構成され、プラグコネクタ固設用の取付け用フランジ１４を有する外側のスリーブハウジング１６と、内側のスリーブハウジング４１とを備える。図１１及び図１２から分かるように、スリーブ部材３は基本的には箱型の断面形状を有している。内側のスリーブハウジング４１は外側のスリーブハウジング１６の中へ摺動することができ、内側のスリーブハウジング４１の両側にはスナップ止めされるフレーム３１が固定される。内側のスリーブハウジング４１は概ね対称的な構造を有し、その側部には、ふた部材６のガイド突部のガイドカム２９を受け入れこれを案内するためのガイド溝３０を備えている。いずれにしても、プラグ部材を取り付け且つ固定するためのロック止め金１２を有するバネ式の舌状部１５が設けられる。内側のスリーブハウジング４１の内壁の側部溝４３が、プラグハウジング１３の側部部片４４を収容することができる。このようにすると、プラグ部材はスリーブ部材の中で傾斜することができない。
【００３４】
コネクタピン用の実際のスリーブ４を有するスリーブホルダ２１は、内側のスリーブハウジング４１の開口を介して下方から挿入される。外側のスリーブハウジング１６を被嵌した後に、スリーブホルダ２１を固定する。
【００３５】
２つのアームを有する板バネ３３がスリーブホルダ２１の下に取り付けられ、上記板バネ３３は、その自由端によって保護フラップ３２に予荷重を与える。図１１から特に分かるように、保護フラップ３２は、内側のスリーブハウジング４１と外側のスリーブハウジング１６との間で関節運動するように取り付けられている。保護フラップは、一方の側部にのみ挿入されたプラグから光、特にレーザ光が逃げないようにする。
【００３６】
プラグ部材１は基本的にはプラグハウジング１３を備え、該プラグハウジングにはふた部材６及び解放レバー２５が固定される。解放レバー２５は、そのリンクカムを介して、プラグハウジング１３の開口４５に係合する。挿入された状態において、レバーアーム３４が、スリーブ部材３のロック止め金１２の下に係合し、該ロック止め金を持ち上げて解放することができる。
【００３７】
図１２から特に分かるように、プラグハウジング１３の内側の一部はスプライン付きのハブ３７として形成されている。ピンホルダ１０は、スプライン付きの軸３６として形成された部分を備える。ピンホルダ１０の後方部のそれぞれのスプライン３９はスプライン付きのハブの肩部４０に係合し、これにより、ピンホルダ１０は、プラグハウジング１３の中で永続的に嵌合した状態に保持される。同時に、スプライン付きの軸及びスプライン付きのハブの間の接続は、コネクタピンの相対的な角度方向の位置を確立する。６つのスプライン並びに対応する６つのスプライン溝が設けられる場合には、コネクタピンは、プラグハウジング１３の中において６つの角度位置を取ることができる。光ファイバの中心軸線に関して最適な位置を測定により選択し、あるプラグコネクタの中における光ファイバの偏心率が最も妥当な組み合わせを決定することができる。
【００３８】
ピンホルダ１０は、プラスチック材料から一体に形成されるのが好ましく、また、コネクタピン２をプラグハウジング１３に関してバネ付勢するようなバネ部分３８を有する。
【００３９】
図１０は、組み立てられた状態のスリーブ部材３を示しており、このスリーブ部材３は例えばハウジングの壁部４６に固定される。プラグ部材１は既に右側に挿入されて固定されており、ふた部材６の軸線は、プラグハウジングのガイド部片２６と内側のスリーブハウジング４１との間で平行に配列されている。コネクタピン２はスリーブ４に挿通されている。この状態においては、保護フラップ３２も板バネ３３の力に抗して軸方向に平行且つ下方に押圧されている。
【００４０】
プラグコネクタの左側には、プラグコネクタに挿入されたプラグ部材１の前方部が示されている。ふた部材６はまだその閉じた状態にある。プラグ部材１をスリーブ部材３の中へ挿入する際に、ガイドカム２９がガイド溝３０の中に係合するが、この係合は、クサビ状の延長部によって幾分助成される。ガイド溝３０は軌道を有し、この軌道は、最初に軸方向に平行に伸び、次に、プラグコネクタの中心軸線に向かって傾斜し、更に再び軸方向に平行に伸長する。傾斜した部分において、ガイドカムは下方へ押圧され、これにより、ふた部材６の枢動運動が開始される。上記傾斜した部分におけるふた部材６の中間位置が破線で示されている。同時に、プラグハウジング１３に関するふた部材６の運動が遅れ、これにより、ふた部材６は後方へ引っ張られる。挿入運動の間には、保護フラップ３２も、その終端位置に達するまでは、連続的に下方へ押圧されることは勿論である。プラグ部材１がその終端位置に到達し、対向するコネクタピンの対向する面が相互に向かい合うと同時に、ロック止め金１２がロック用の肩部１１の後部に係合する。
【００４１】
プラグ部材１をスリーブ部材３から引き抜くためには、解放レバー２５を単に下方へ押圧し、レバーアーム３４にロック止め金１２を持ち上げさせ、これにより、ロック用の肩部１１を解放させるだけで良い。プラグ部材１の解放は他の形態で行うことができることは勿論であり、例えば、上述のプッシュプル方式を採用することができる。
【００４２】
本発明には種々の変更及び変形を加えることができるので、上述の記載並びに図面が本発明の範囲を限定するものと解するべきではない。
【図面の簡単な説明】
【図１】プラグ部材の斜視図である。
【図２】図１のプラグ部材を収容するスリーブ部材の斜視図である。
【図３】図１のプラグ部材が挿入された状態をスリーブを省略して示す斜視図である。
【図４】プラグ部材を両側から挿入された状態の図２のスリーブ部材を断面で示す図である。
【図５】図１乃至図３のプラグコネクタを概念的に示す概略図である。
【図６】代替例のプラグコネクタの概略図である。
【図７】枢動可能且つ摺動可能なふた部材を有するプラグ部材の代替実施例をふた部材を閉じた状態で示す斜視図である。
【図８】図７のプラグ部材をふた部材を開いた状態で示す斜視図である。
【図９】プラグコネクタを個々に示される図７のプラグ部材の各要素と共に示す図である。
【図１０】プラグ部材を挿入する際の図９のプラグコネクタを組み立てた状態で示す図である。
【図１１】図１０の面Ｉ−Ｉに沿い且つ拡大して示す断面図である。
【図１２】図１０の面ＩＩ−ＩＩに沿い且つ拡大して示す断面図である。
【符号の説明】
１，１’    プラグ部材
２          コネクタピン
３          スリーブ部材
４          スリーブ
５          コネクタピン２の前端面部
６          ふた部材
７          ガイド部材
８          ガイド突部
９          端部分
１１，１２  保持係合装置
１６        スリーブハウジング
１７        スリーブハウジングの内壁
１８        歯付きのラック部分
１９        歯付きの部分
２４        バネカム
２７        ガイドスロット
３０        ガイド溝
【図１】
0003681672.tif 000002
【図２】
0003681672.tif 000003
【図３】
0003681672.tif 000004
【図４】
0003681672.tif 000005
【図５】
0003681672.tif 000006
【図６】
0003681672.tif 000007
【図７】
0003681672.tif 000008
【図８】
0003681672.tif 000009
【図９】
0003681672.tif 000010
【図１０】
0003681672.tif 000011
【図１１】
0003681672.tif 000012
【図１２】
0003681672.tif 000013